【事件の表示】
　特願２００１−　１３４１１「リモートコントロール方法及びリモートコントロール装置」拒絶査定不服審判事件〔平成１４年　８月　２日出願公開、特開２００２−２１８５６７〕について、次のとおり審決する。
【結　論】
　本件審判の請求は、成り立たない。
【理　由】
第１　手続の経緯
　　出願日：　　　　平成１３年１月２２日
　　拒絶査定起案日：平成１７年４月２１日
　　審判請求日：　　平成１７年６月　８日
　　手続補正書：　　平成１７年７月　８日
　
第２　補正却下の決定
　［補正却下の決定の結論］  
　　　　平成１７年７月８日付けの手続補正を却下する。
　［理由］
１．補正後の本願発明
　平成１７年７月８日付けの手続補正は、特許請求の範囲の請求項１を以下のように補正することを含むものである。
　
「所定の処理について、対応する処理モードが被制御機器に複数存在する場合に、該複数存在する処理モードの中から所望のものが選択されると、該選択された処理モードを被制御機器が記憶し、
リモートコントローラーに備えられ当該所定の処理を示す固定の表示が付されているキーが操作されると、前記記憶された処理モードで当該所定の処理を被制御機器が実行することを特徴とするリモートコントロール方法。」　（以下、「補正発明」という。）
　
２．新規事項の有無、補正の目的要件について
　上記補正は、願書に最初に添付した明細書又は図面に記載した事項の範囲内でなされたものであるから、特許法第１７条の２第３項の規定に適合している。
　また、平成１７年３月１５日付けで手続補正された請求項１に記載された事項を、下記Ａ〜Ｄのとおり限定するものであるから、特許法第１７条の２第４項第２号の特許請求の範囲の減縮を目的とするものに該当する。
　
Ａ．「所定の処理について複数存在する処理モード」を、「所定の処理について、対応する処理モードが被制御機器に複数存在する場合に、該複数存在する処理モード」と補正することにより、「処理モード」が「被制御機器」に存在する旨を限定。
　
Ｂ．「該選択された処理モードを記憶し」を「該選択された処理モードを被制御機器が記憶し」と補正することにより、「記憶」が「被制御機器」で行われると限定。
　
Ｃ．「当該所定の処理を示す表示が付されているキー」を「当該所定の処理を示す固定の表示が付されているキー」と補正することにより、「固定の」との記載を付加して限定。
　
Ｄ．「当該所定の処理を実行する」を、「当該所定の処理を被制御機器が実行する」と補正することにより、「当該所定の処理」が「被制御機器」で実行されると限定。
　
３．独立特許要件について
　上記補正は特許請求の範囲の減縮を目的とするものであるから、上記補正発明が、特許出願の際独立して特許を受けることができるものであるか（特許法第１７条の２第５項において準用する同法第１２６条第５項の規定に適合するか）について以下に検討する。
　
３．１　補正後の本願発明
　上記「１．補正後の本願発明」の項で認定したとおりである。
　
３．２　引用発明
　原査定の拒絶の理由に引用された特開２０００−１９７１６２号公報（以下「引用例」という。）には、図面とともに以下の事項ａ〜ｄが記載されている。
　
・摘記事項ａ　（３頁３欄５〜１３行）
「【０００１】
【発明の属する技術分野】本発明は、テレビジョン受像機等のような機器を遠隔制御する場合に、ユーザーカスタマイズ可能な遠隔操作を可能とするリモートコントロール装置に関する。
【０００２】
【従来の技術】近年、遠隔制御を採用した機器が増加しており、各機器の遠隔操作が容易に行えるようになっている。テレビジョン受像機においてもリモートコントロール送信機（以下、リモコン送信機）を装備したものが多く、操作性の向上が図られている。」
　
・摘記事項ｂ　（５頁７欄２１行〜８欄４行）
「【００２２】図１において、リモートコントロール装置は、リモコン送信機100 と被制御機器200 とで構成されている。ここでは、被制御機器200 がテレビジョン受像機である場合について説明する。
　　　　　　　　・・・・・・（中略）・・・・・・
【００２５】制御部206 には、リモコン送信機100 からのリモコン信号を受信するリモコン受信部207 が接続する一方、選局可能なチャンネルの選局データを記憶したり本発明の特徴であるポインタなどが置かれる不揮発性のメモリ208 が接続している。メモリ208 は、前記の選局データやポインタを記憶するのに使用されるほか、本発明の他の特徴となる、被制御機器200 であるテレビジョン受像機の現在状態（ＶＴＲ／ＴＶなどの入力ソース、受信しているチャンネル、音量、映像や音声の各調整状態など）を記憶したり、また複数のポインタからなるポインタ列に保持されるアドレス群を１つのグループとして待避させその代わりにポインタ列に書き込むべき他のグループのアドレス群を予め記憶しておくのに使用される。」
　
・摘記事項ｃ　（５頁８欄３０行〜６頁９欄４９行）
「【００２９】上記リモコン送信機100 において電源ボタン102 や、チャンネル選択用の数字キー101 等は比較的頻繁に使用されるボタンであるため、その機能専用のボタンとして利用されるが、操作ボタン107 （い・ろ・は・に）については、ユーザーの設定により任意の機能を割り当てることができるようにしている。
【００３０】例えば、或る設定では第１〜第４の操作ボタン（い〜に）の操作により輝度、コントラスト、画質、色相をそれぞれ制御することができ、また別の設定では第１〜第４の操作ボタン（い〜に）の操作によりテレビ画面を１画面、２画面、３画面、マルチ画面へ切り換えるといった制御も可能となる。
【００３１】以下、このような本発明の特徴について詳細に説明する。リモコン送信機100 に配置された各種機能（例えば音量、チャンネル）の操作ボタンを操作すると、各操作ボタンに対応したコードの制御信号が送信され、被制御機器200 であるテレビジョン受像機の制御部206 ではリモコン受信部207 で受信した各制御信号に応じて各種機能（例えば音量、チャンネル）を実行することになる。この場合、被制御機器200 における制御部206 内のＣＰＵは、リモコン送信機100 からの制御信号に対応してＲＯＭ内の制御プログラムを実行して各種機能（例えば音量、チャンネル）を制御することになる。
【００３２】本発明の実施の形態では、リモコン送信機100 に機能割り当て可能な少なくとも１つの操作ボタン107 を配置してある。図２では、機能割り当て可能な操作ボタン107 として「い」「ろ」「は」「に」で示す４つのボタンが示されている。これらの複数の操作ボタン107 についても、操作ボタン107 それぞれを操作すると各操作ボタン「い」「ろ」「は」「に」に対応したコードの制御信号１、２、３、４が送信されるようになっている。
【００３３】一方、被制御機器200 であるテレビジョン受像機には、リモコン送信機100 の送信する前記操作ボタン107 「い」「ろ」「は」「に」それぞれに対応した個々の制御信号１、２、３、４に対応するポインタ１、２、３、４がメモリ208 上に配置されていて、前記個々のポインタ１、２、３、４にはＲＯＭ内に予め記憶した複数の制御プログラムＡ〜Ｆの内の例えば希望の各制御プログラムＡ、Ｂ、Ｃ、ＤのスタートアドレスＡ、Ｂ、Ｃ、Ｄを書き込み呼び出し可能としておく。
【００３４】即ち、リモコン送信機100 の４つの操作ボタン107 「い」「ろ」「は」「に」に対応する制御信号をそれぞれ制御信号１、２、３、４としその制御信号に対応するポインタをそれぞれポインタ１、２、３、４とし、図３のようにポインタ１、２、３、４にそれぞれ制御プログラムのアドレスＡ、Ｂ、Ｃ、Ｄを保持していたとすると、制御信号２を受信すると被制御機器200 内のＣＰＵは受信した制御信号２に対応したポインタ２のアドレスＢをメモリ208 から読み込みＲＯＭ内のそのアドレスＢヘジャンプし制御プログラムＢを実行して制御される。
【００３５】ここで、前記ポインタのアドレスを書き込み呼び出し可能とすることでポインタのアドレスが変更可能となる。つまり、操作ボタン107 「い」「ろ」「は」「に」とポインタ１、２、３、４とは制御信号１、２、３、４を介して一対一に対応し、ポインタに設定する制御プログラムアドレスを変えることにより、その操作ボタンの制御機能（内容）が変更される。例えば、図４のようにポインタ２、４のアドレスＢ、ＤをそれぞれアドレスＥ、Ｆに書き換えることで、制御信号２を受信すると被制御機器200 はポインタ２のアドレスＥヘジャンプして制御プログラムＥを実行し制御されることになる。同様に、制御信号４を受信すると被制御機器200 はポインタ４のアドレスＦヘジャンプして制御プログラムＦを実行し制御されることになる。このように構成することにより、リモコン送信機100 の操作ボタン「ろ」で制御できる機能がＢからＥに変更可能となり、同様にリモコン送信機100 の操作ボタン「に」で制御できる機能がＤからＦに変更可能となる。」
　
・摘記事項ｄ　（８頁１３欄２３〜４５行）
「【００５２】図１１では、被制御機器の制御データを記憶するメモリエリア（制御データメモリ）をメモリ208 に用意しておき図６または図７(a) に示したようなリモコン設定メニューから「状態記憶」を選択して操作ボタン107 の中のボタン「に」を操作すると前記メモリエリアに被制御機器200 の現在の状態（入カソース、音量、映像調整、音声調整、画面モードなど）を制御データとして記憶し、操作ボタン「に」に対応したポインタ４には制御データメモリ208 のデータ読み出しの制御とそのデータで被制御機器200 の状態を制御する制御プログラムＦのアドレスＦを書き込む。状態記憶後に、操作ボタン「に」を操作した時には被制御機器200 は制御信号４を受信しポインタ４のアドレスＦで制御プログラムＦにジャンプして前記制御データメモリのデータを読み込み被制御機器200 の状態復帰を行う。つまり、前記制御データメモリに記憶した受信状態又は映出状態に復帰する。
【００５３】図１１の設定方法によれば、例えばＴＶ画面とＶＴＲ画面とで音量が変わる場合などにおいて、ＴＶ画面を見ている現在状態を操作ボタン107 の１つのボタンに状態割り当てし、ＶＴＲ画面を視聴後に前記の割り当てしたボタンを操作することにより再びＴＶ画面に直ぐに状態復帰させることが可能となり便利である。」
　
　上記摘記事項ｄの段落【００５２】の「現在の状態（入カソース、音量、映像調整、音声調整、画面モードなど）を制御データとして記憶」するとの記載によれば、「現在の状態」には「入カソース、音量、映像調整、音声調整、画面モード」が含まれており、「現在の状態」の中の、例えば、「音量」では、大きな音量から小さな音量まで、音量の状態が複数存在するから、「現在の状態」としては、とりうる状態が被制御機器に複数存在し、しかも、「復帰」は「現在の状態」に戻すことであるから、そこには複数の復帰モードがあるといえる。
　また、上記摘記事項ｄの段落【００５２】の「図１１では、被制御機器の制御データを記憶するメモリエリア（制御データメモリ）をメモリ208 に用意しておき」との記載、及び、上記摘記事項ｂの、「被制御機器200」についての記載である段落【００２５】の「制御部206 には、リモコン送信機100 からのリモコン信号を受信するリモコン受信部207 が接続する一方、選局可能なチャンネルの選局データを記憶したり本発明の特徴であるポインタなどが置かれる不揮発性のメモリ208 が接続している。」との記載によれば、上記復帰モードは被制御機器で記憶されるものである。
　次に、上記摘記事項ｄの段落【００５３】の「ＶＴＲ画面を視聴後に・・・ボタンを操作することにより・・・ＴＶ画面に・・・状態復帰させる」との記載によれば、「現在の状態」は、ＶＴＲ画面を視聴後の「状態復帰」先として望んだ状態であるから、所望のものである。
　更に、上記摘記事項ａの段落【０００２】の「リモートコントロール送信機（以下、リモコン送信機）」との記載から、「リモコン」は「リモートコントロール」の略であって、上記摘記事項ｄにおける、受信状態の復帰に係る手順は、このリモコンを用いて行われているから、リモートコントロール方法に係る発明であることは自明である。
　したがって、上記引用例の記載及び図面並びにこの分野における技術常識を考慮すると、上記引用例には、以下の発明（以下「引用発明」という。）が記載されているものと認められる。
　
「受信状態の復帰について、対応する復帰モードが被制御機器200 に複数存在する場合に、該複数存在する復帰モードの中から所望のものが選択されると、該選択された復帰モードを被制御機器200 が記憶し、
リモコン送信機100 に備えられている操作ボタン107 が操作されると、前記記憶された復帰モードで受信状態の復帰を被制御機器が行うリモートコントロール方法。」
　
３．３　対比・判断
　補正発明と引用発明を対比する。
　
ア．引用発明の「受信状態の復帰」は、（プログラムによる）処理の一種である。
　
イ．引用発明の「リモコン送信機」は、「リモートコントローラー」の一種である。
　
ウ．引用発明の「操作ボタン」は、「キー」である。
　
　したがって、補正発明と引用発明の一致点及び相違点は、次のとおりである。
　
＜一致点＞
「所定の処理について、対応する処理モードが被制御機器に複数存在する場合に、該複数存在する処理モードの中から所望のものが選択されると、該選択された処理モードを被制御機器が記憶し、
リモートコントローラーに備えられるキーが操作されると、前記記憶された処理モードで当該所定の処理を被制御機器が実行するリモートコントロール方法。」
　
＜相違点＞
　補正発明においては、キーに「所定の処理を示す固定の表示が付されている」のに対し、引用発明のキーにはそのような表示が付されていない点。
　
　上記相違点について検討する。
　ファンクションキー等のような、所定の処理を実行する機器に設けられたキーに、当該処理を示す固定の表示を付しておき、それが何であるかを操作者に示すことは、映像・音響機器や情報処理装置等、種々の機器に採用されている周知慣用技術であるから、引用発明において、当該キーを「所定の処理を示す固定の表示が付されている」ものとすることは、当業者であれば容易に想到しうることである。
　
　そして、補正発明の作用効果も、引用例に記載された発明及び周知慣用技術から当業者が容易に予測できる範囲のものである。
　
　なお、請求人は、平成１７年７月２８日付けの手続補正書により補正された審判請求書の請求の理由の「（７）」の項において、
「イ．また、本願各発明では、処理モードの設定を被制御機器側で行なう。これに対し、例えば引用文献１では、請求項１に記載されているように、「　…　機能割り当て可能なモードで、かつ被制御機器の複数の機能の内の
ある機能が選択されている状態で
機能割り当てさせたい操作ボタンを操作することによって
　本願各発明では、このような下線で示した部分の如き操作が不要である。このため、同じくリモートコントローラーのハードウェア、ファームウェアが複雑にならない。従ってコスト的に有利である。」
と主張するが、処理モードの設定を被制御機器側で行なうことについては特許請求の範囲に記載されていないから、上記主張は特許請求の範囲の記載に基づいたものとは認められず、請求人の主張は採用できない。
　
　したがって、補正発明は、引用例に記載された発明及び周知慣用技術に基づいて、当業者が容易に発明をすることができたものであるから、特許法第２９条第２項の規定により、特許出願の際独立して特許を受けることができないものである。
　
４．むすび
　以上のとおり、本件手続補正は、平成１８年改正前特許法第１７条の２第５項において準用する同法第１２６条第５項の規定に違反するので、同法第１５９条第１項の規定において読み替えて準用する同法第５３条第１項の規定により却下されるべきものである。
　
第３　本願発明について
１．本願発明
　平成１７年７月８日付けの手続補正は、上記のとおり却下されたので、本願の請求項１に係る発明（以下「本願発明」という。）は、平成１７年３月１５日付けの手続補正書により補正された明細書及び図面の記載からみて、その特許請求の範囲の請求項１に記載された以下のとおりのものである。
「所定の処理について複数存在する処理モードの中から所望のものが選択されると、該選択された処理モードを記憶し、
リモートコントローラーに備えられ当該所定の処理を示す表示が付されているキーが操作されると、前記記憶された処理モードで当該所定の処理を実行する
ことを特徴とするリモートコントロール方法。」
　
２．引用発明
　引用発明は、上記「第２　補正却下の決定」の「３．２　引用発明」の項で認定したとおりである。
　
３．対比・判断
　本願発明は、上記「第２　補正却下の決定」で検討した補正発明において、「所定の処理について、対応する処理モードが被制御機器に複数存在する場合に、該複数存在する処理モード」を「所定の処理について複数存在する処理モード」として、処理モードに関する限定を削除するとともに、「該選択された処理モードを被制御機器が記憶し」を「該選択された処理モードを記憶し」とし、「当該所定の処理を示す固定の表示が付されているキー」を「当該所定の処理を示す表示が付されているキー」とし、「当該所定の処理を被制御機器が実行する」を「当該所定の処理を実行する」としたものである。
　
　そうすると、本願発明の構成要件をすべて含み、さらに他の構成要件を付加又は限定した補正発明が、上記「第２　補正却下の決定」の「３．３　対比・判断」の項に記載したとおり、引用例に記載された発明及び周知慣用技術に基づいて当業者が容易に発明をすることができたものであるから、本願発明も同様の理由により、当業者が容易に発明をすることができたものである。
　
４．むすび
　以上のとおり、本願発明は、引用例に記載された発明及び周知慣用技術に基づいて当業者が容易に発明をすることができたものであるから、特許法第２９条第２項の規定により特許を受けることができない。
　
　よって、結論のとおり審決する。